(57)【要約】【課題】  高い輝度のＬＥＤを用いても、点灯すべきＬＥＤを点灯させた際に、消灯しているべきＬＥＤまでもが点灯してしまうことのないＬＥＤ点灯回路を備えた遊技機を提供する。【解決手段】  電源ラインとＬＥＤ９１のアノードとの間に、電源ラインとアノードとの接続をＯＮ／ＯＦＦするトランジスタＴｒ１を接続し、電源ラインとＬＥＤ９２のアノードとの間に、電源ラインとアノードとの接続をＯＮ／ＯＦＦするトランジスタＴｒ２を接続する。又、ＬＥＤ９１，９２のカソードとグランドラインとの間に、ダイオードＤ１，Ｄ２と、抵抗器Ｒ１，Ｒ２と、カソードとグランドラインとの接続をＯＮ／ＯＦＦするトランジスタＴｒ３とを接続する。更に、トランジスタＴｒ１のエミッタと、トランジスタＴｒ２のエミッタとをそれぞれ、抵抗器Ｒ５，Ｒ６を介して、グランドラインに接続する。【選択図】図６
2006122419.tif 000002
【特許請求の範囲】
【請求項１】
電源の陽極と第１のＬＥＤのアノードとの間に、該陽極と該アノードとの接続をＯＮ／ＯＦＦする第１のスイッチング素子を接続し、電源の陽極と第２のＬＥＤのアノードとの間に、該陽極と該アノードとの接続をＯＮ／ＯＦＦする第２のスイッチング素子を接続すると共に、前記第１のＬＥＤのカソード及び前記第２のＬＥＤのカソードの双方を電源の陰極に接続し、前記第１のスイッチング素子から前記第１のＬＥＤのアノードに至る第１の配線の少なくとも一部と、前記第２のスイッチング素子から前記第２のＬＥＤのアノードに至る第２の配線の少なくとも一部とが互いに平行に配設されたＬＥＤ点灯回路を備えた遊技機であって、
該ＬＥＤ点灯回路は、
前記第１の配線及び前記第２の配線に滞留する電荷を前記陰極に放出する電荷放出手段を備えることを特徴とする遊技機。
【請求項２】
前記電荷放出手段は、前記第１の配線と前記陰極との間、及び前記第２の配線と前記陰極との間にそれぞれ接続された抵抗器を備えることを特徴とする請求項１記載の遊技機。
【請求項３】
前記電荷放出手段は、前記第１のＬＥＤ及び前記第２のＬＥＤに逆方向電圧が印加されることを防止する逆方向電圧防止手段を備えることを特徴とする請求項２記載の遊技機。
【請求項４】
前記逆方向電圧防止手段は、
前記第１のＬＥＤのカソードにアノードが接続されると共に、前記陰極にカソードが接続され、前記第１のＬＥＤのカソードと前記陰極とを中継する第１のダイオードと、
前記第２のＬＥＤのカソードにアノードが接続されると共に、前記陰極にカソードが接続され、前記第２のＬＥＤのカソードと前記陰極とを中継する第２のダイオードと、
で構成されていることを特徴とする請求項３記載の遊技機。
【請求項５】
前記ＬＥＤ点灯回路は、
前記第１のスイッチング素子及び前記第２のスイッチング素子が、前記第１のＬＥＤ及び前記第２のＬＥＤの点灯を制御する制御基板上に配設され、
前記第１のＬＥＤ及び前記第２のＬＥＤと、前記電荷放出手段とが、前記第１のＬＥＤ及び前記第２のＬＥＤを搭載するＬＥＤ基板上に配設されていることを特徴とする請求項１乃至請求項４いずれか記載の遊技機。
【請求項６】
前記ＬＥＤ点灯回路は、
前記第１のスイッチング素子及び前記第２のスイッチング素子が、前記第１のＬＥＤ及び前記第２のＬＥＤの点灯を制御する制御基板上に配設され、
前記第１のＬＥＤ及び前記第２のＬＥＤとが、前記第１のＬＥＤと前記第２のＬＥＤとを搭載するＬＥＤ基板上に配設され、
前記電荷放出手段が、前記制御基板と該ＬＥＤ基板とを中継する中継基板上に配設されていることを特徴とする請求項１乃至請求項４いずれか記載の遊技機。
【発明の詳細な説明】
【技術分野】
【０００１】
本発明は、ＬＥＤ点灯回路を備える遊技機に関する。
【背景技術】
【０００２】
従来より、パチンコ遊技機は、遊技盤上に多数のＬＥＤを配設され、これらＬＥＤを点灯させて、遊技を演出したり、遊技状態（例えば、保留球の数など）を遊技者に報知するように構成されている。
【０００３】
ここで、図１０は、従来のパチンコ遊技機に具備された一般的なＬＥＤ点灯回路１００の回路図である。
図１０に示すように、従来のＬＥＤ点灯回路１００では、電源の陽極とＬＥＤ１０１，１０３のアノードとの間と、電源の陽極とＬＥＤ１０２，１０４のアノードとの間とに、電源の陽極とこれらＬＥＤのアノードとの接続をＯＮ／ＯＦＦするトランジスタＴｒ１，Ｔｒ２がそれぞれ接続されている。又、電源の陰極とＬＥＤ１０１，１０２のカソードとの間と、電源の陰極とＬＥＤ１０３，１０４のカソードとの間とに、これらＬＥＤに流れる電流をそれぞれ制限する抵抗器Ｒ１１，Ｒ１２，Ｒ１３，Ｒ１４を介して、電源の陰極とこれらＬＥＤのカソードとの接続をＯＮ／ＯＦＦするトランジスタＴｒ３，Ｔｒ４がそれぞれ接続されている。
【０００４】
つまり、ＬＥＤ点灯回路１００は、トランジスタＴｒ１，Ｔｒ２のうちの一方と、トランジスタＴｒ３，Ｔｒ４のうちの一方とをＯＮすることにより、これらＬＥＤ１０１〜１０４を個別に点灯できるように構成されている。
【０００５】
そして、従来のパチンコ遊技機では、トランジスタＴｒ１〜Ｔｒ４のＯＮ／ＯＦＦを制御するためにパチンコ遊技機に搭載されたＣＰＵが、点灯すべきＬＥＤだけを短い周期（例えば、１００ｍｓ以内）で繰り返し点灯させ、遊技者の肉眼に生じる残像現象を利用して、このＬＥＤが点灯し続けているように見せかけることが行われている（所謂、ダイナミック点灯方式）。
【０００６】
尚、従来のパチンコ遊技機では、トランジスタＴｒ１〜Ｔｒ４が上述のＣＰＵと共に制御基板上に搭載されている一方、ＬＥＤ１０１〜１０４や抵抗器Ｒ１１〜Ｒ１４が、制御基板とは別個に設けられたＬＥＤ基板上に搭載されている。そして、ＬＥＤ点灯回路１００における配線は、これら基板上では、少なくとも一部が互いに平行に形成されたプリント配線で構成されている一方、これら基板間ではケーブルハーネスで構成されている。
【０００７】
ここで、上述したように、このようなＬＥＤ点灯回路１００の構成は、一般的であり、公知・公用の技術に該当するため、ここでは特に先行技術文献を開示しない。
【発明の開示】
【発明が解決しようとする課題】
【０００８】
ところで、近年、パチンコ遊技機では、ＬＥＤによる演出を遊技者により印象付けたり、遊技状態の報知をより明確にするために、小さな電流でも高い輝度を発揮するＬＥＤが用いられ始めている。
【０００９】
しかしながら、上述のＬＥＤ点灯回路１００では、このようなＬＥＤをＬＥＤ１０１〜１０４に用いると、トランジスタＴｒ３に接続されている一対のＬＥＤ１０１，１０２のうちの一方や、トランジスタＴｒ４に接続されている一対のＬＥＤ１０３，１０４のうちの一方のみを点灯したにも関わらず、消灯しているべき他方のＬＥＤまでうっすらと点灯してしまうことがあるという問題点があった。
【００１０】
そこで、本発明は、高い輝度のＬＥＤを用いても、点灯すべきＬＥＤを点灯させた際に、消灯しているべきＬＥＤまでもが点灯してしまうことのないＬＥＤ点灯回路を備えた遊技機を提供することを目的とする。
【課題を解決するための手段】
【００１１】
上記目的を達成するためになされた請求項１記載の発明は、電源の陽極と第１のＬＥＤのアノードとの間に、該陽極と該アノードとの接続をＯＮ／ＯＦＦする第１のスイッチング素子を接続し、電源の陽極と第２のＬＥＤのアノードとの間に、該陽極と該アノードとの接続をＯＮ／ＯＦＦする第２のスイッチング素子を接続すると共に、第１のＬＥＤのカソード及び第２のＬＥＤのカソードの双方を電源の陰極に接続し、第１のスイッチング素子から第１のＬＥＤのアノードに至る第１の配線の少なくとも一部と、第２のスイッチング素子から第２のＬＥＤのアノードに至る第２の配線の少なくとも一部とが互いに平行に配設されたＬＥＤ点灯回路を備えた遊技機であって、該ＬＥＤ点灯回路は、第１の配線及び第２の配線に滞留する電荷を陰極に放出する電荷放出手段を備えることを特徴とする。
【００１２】
即ち、本願発明者らは、上述の問題点の原因を探るために、従来のＬＥＤ点灯回路において、電源の陽極とＬＥＤのアノードとの接続をＯＮ／ＯＦＦした際におけるＬＥＤのアノード側の電圧（電源の陰極が基準電位）をオシロスコープで観測したところ、電源の陽極とＬＥＤのアノードとの接続をＯＮからＯＦＦに移行させたにも関わらず、ＬＥＤのアノード側の電圧が直ちに立ち下がらず、時間的な遅れが生じていることを発見したのである。
【００１３】
これにより、本願発明者らは、トランジスタとＬＥＤのアノード間に生じる浮遊容量などによってトランジスタとＬＥＤのアノード間の配線に電荷が滞留し、電源の陽極とＬＥＤのアノードとの接続をＯＦＦしても、滞留した電荷が微小電流としてＬＥＤに流れ込んでしまうことが上述の問題点の原因である可能性が高いと考え、本発明に至ったのである。
【００１４】
つまり、本発明では、電荷放出手段が第１の配線及び第２の配線に滞留する電荷を電源の陰極に放出するため、滞留した電荷が微小電流として第１のＬＥＤ及び第２のＬＥＤに流れ込んでしまうことがなく、ひいては、第１のＬＥＤ及び第２のＬＥＤに高い輝度のＬＥＤを用いても、点灯すべきＬＥＤを点灯させた際に、消灯しているべきＬＥＤまでもが点灯してしまうことを防止できる。
【００１５】
尚、本発明では、第１のＬＥＤのカソード及び第２のＬＥＤのカソードは、抵抗器や、これらＬＥＤのカソードと電源の陰極との接続をＯＮ／ＯＦＦするスイッチング素子などを介して陰極に接続されていても良い。
【００１６】
ここで、電荷放出手段は、ＬＥＤ点灯回路による第１のＬＥＤ及び第２のＬＥＤの点灯を困難するものでなければ、どのように構成されていても良く、例えば、請求項２記載のように、第１の配線と陰極との間、及び第２の配線と陰極との間にそれぞれ抵抗器を接続することで構成することができる。
【００１７】
このように電荷放出手段を構成すれば、電源の陽極と、第１のＬＥＤのアノード及び第２のＬＥＤのアノードとの接続をＯＦＦした際に、第１の配線及び第２の配線に滞留した電荷を抵抗器を介して電源の陰極に放出し、これら配線の電位を確実に電源の陰極と同電位にすることができる。即ち、滞留した電荷が第１のＬＥＤ及び第２のＬＥＤに流れ込むことを確実に防止できる。
【００１８】
尚、これら抵抗器の抵抗値は、予め実験を行って適宜選定すれば良い。
ここで、第１の配線と陰極との間、及び第２の配線と陰極との間にそれぞれ抵抗器を接続した場合、第１のＬＥＤ及び第２のＬＥＤのうちの一方を点灯させた際に、他方のＬＥＤに逆方向電圧が印加され、この逆方向電圧によって、他方のＬＥＤが壊れてしまう可能性がある。
【００１９】
そこで、電荷放出手段は、請求項３記載のように、第１のＬＥＤ及び第２のＬＥＤに逆方向電圧が印加されることを防止する逆方向電圧防止手段を備えることが望ましい。
このように電荷放出手段が構成されていれば、第１のＬＥＤ及び第２のＬＥＤに逆方向電圧が印加されることがなく、逆方向電圧によってこれらＬＥＤが壊れてしまうことを防止できる。
【００２０】
尚、逆方向電圧防止手段は、ＬＥＤ点灯回路による第１のＬＥＤ及び第２のＬＥＤの点灯を困難にするものでなければ、どのように構成されていても良く、例えば、請求項４記載のように、第１のＬＥＤのカソードと陰極とを中継するように、第１のダイオードのアノードを第１のＬＥＤのカソードに接続すると共に、第１のダイオードのカソードを陰極に接続し、第２のＬＥＤのカソードと陰極とを中継するように、第２のダイオードのアノードを第２のＬＥＤのカソードに接続すると共に、第２のダイオードのカソードを陰極に接続することで構成することができる。
【００２１】
つまり、このように第１のダイオード及び第２のダイオードを接続するだけで、簡素に逆方向電圧を防止することができる。
ところで、ＬＥＤ点灯回路は、請求項５記載のように、第１のスイッチング素子及び第２のスイッチング素子が、第１のＬＥＤ及び第２のＬＥＤの点灯を制御する制御基板上に配設され、第１のＬＥＤ及び第２のＬＥＤと、電荷放出手段とが、第１のＬＥＤ及び第２のＬＥＤを搭載するＬＥＤ基板上に配設されていると良い。
【００２２】
この場合、ＬＥＤ基板を上述のように構成するだけで、従来の制御基板をそのまま流用できるため、遊技機の開発作業の手間をその分省くことができる上、従来の制御基板を無駄にしてしまうことを防止できる。
【００２３】
又、ＬＥＤ点灯回路は、請求項６記載のように、第１のスイッチング素子及び第２のスイッチング素子が、第１のＬＥＤ及び第２のＬＥＤの点灯を制御する制御基板上に配設され、第１のＬＥＤ及び第２のＬＥＤとが、第１のＬＥＤと第２のＬＥＤとを搭載するＬＥＤ基板上に配設され、電荷放出手段が、制御基板と該ＬＥＤ基板とを中継する中継基板上に配設されていると良い。
【００２４】
この場合、上述のような中継基板を開発するだけで、従来の制御基板とＬＥＤ基板とをそのまま流用できるため、遊技機の開発作業の手間をその分省くことができる上、従来の制御基板とＬＥＤ基板とを無駄にしてしまうことを防止できる。
【発明を実施するための最良の形態】
【００２５】
以下に本発明の実施形態を図面と共に説明する。
まず、図１は、本発明に係るパチンコ遊技機１の正面図である。
図１に示すように、パチンコ遊技機（以下、単に「パチンコ機」ともいう。）１は、遊技機島に固定される外枠３と、開閉自在に外枠３に軸支された内枠５とを備える。
【００２６】
そして、内枠５には、遊技を演出するために点灯させる３つの内枠ランプ７と、遊技者が遊技球を投入する遊技盤９と、遊技盤９の前面をガラスで覆う金枠１１と、遊技者が遊技盤９上への遊技球の投入操作を行うためのハンドル１３と、当該パチンコ機１から払い出される遊技球（貸球及び賞球）を貯留する上受け皿１５と、上受け皿１５が遊技球を貯留しきれなくなるなどして、上受け皿１５から排出される遊技球を貯留する下受け皿１７とが設けられている。
【００２７】
又、遊技盤９上には、ＬＣＤ（Liquid  Crystal  Display）からなり、文字や図形を要素とした特別図柄（図示せず）や、遊技に関わる各種画像を表示するためのディスプレイ１９と、特別図柄の変動表示が保留されていることを遊技者に示す（つまり、保留球の数を示す。）４つの特別図柄保留ランプ２１と、特別図柄の変動表示を開始させるために遊技者が遊技球を投入する始動入賞装置２３と、「大当たり」の発生時に実行する大当たり遊技の際に、遊技者が遊技球を投入する大入賞装置２５とが設けられている。尚、始動入賞装置２３は、所謂、チューリップ式からなり、図中左右方向にそれぞれ傾倒動作して当該始動入賞装置２３の入賞口への入り口を拡大する１対の可動片２３ａを備える。又、大入賞装置２５は、図中手前方向に傾倒動作して当該大入賞装置２５の入賞口（以下、「大入賞口」という。）を開放する開閉板２５ａを備える。
【００２８】
更に、遊技盤９上には、７セグメントＬＥＤからなり、１桁の数字からなる普通図柄（図示せず）を表示する普通図柄表示装置２７と、普通図柄の変動表示が保留されていることを遊技者に示す４つの普通図柄保留ランプ２９と、遊技を演出するために点灯させる１対の遊技盤ランプ３１と、遊技球の通過を検出する１対の始動ゲート３３とが設けられている。
【００２９】
次に、図２は、パチンコ機１における制御系統の一部の構成を示す構成ブロック図である。
図２に示すように、パチンコ機１には、ＣＰＵ３７１やＲＯＭ３７３、ＲＡＭ３７５、ＰＩＯ（パラレル入出力ポート）３７７、ＣＴＣ（カウンタ・タイマ回路）３７９を内蔵したマイクロコンピュータ（以下、単に「マイコン」という。）３７ａや、入出力インターフェイス（以下、「入出力Ｉ／Ｆ」という。）３７ｂなどを搭載し、当該パチンコ機１を統括制御する主基板３７が具備されている。尚、マイコン３７ａは、ＲＡＭ３７５とそれ以外の構成要素（つまり、ＣＰＵ３７１、ＲＯＭ３７３、ＰＩＯ３７７、ＣＴＣ３７９）とに別々に電力を供給可能に構成されている。
【００３０】
そして、この主基板３７に、各種基板や各種装置を接続して、当該パチンコ機１の制御系統が構築されている。
即ち、主基板３７には、まず、始動ゲート３３に設けられ、遊技球が始動ゲート３３を通過したことを検出するゲートスイッチ（ゲートＳＷ）３３ａと、始動入賞装置２３に設けられ、始動入賞装置２３の始動口に遊技球が投入されたことを検出するスタートスイッチ（スタートＳＷ）２３ｂと、同じく始動入賞装置２３に設けられ、始動入賞装置２３の可動片２３ａを駆動するソレノイド２３ｃとが接続されている。
【００３１】
又、主基板３７には、大入賞装置２５に設けられ、大入賞口における特定領域に遊技球が投入されたことを検出する特定領域スイッチ（特定領域ＳＷ）２５ｂと、同じく大入賞装置２５に設けられ、大入賞口における特定領域とは別の一般領域に遊技球が投入されたことを検出するカウントスイッチ（カウントＳＷ）２５ｃと、同じく大入賞装置２５に設けられ、大入賞装置２５の開閉板２５ａを駆動するソレノイド２５ｄとが接続されている。
【００３２】
又、主基板３７には、上受け皿１５及び下受け皿１７への遊技球の払出を行う払出装置３９に設けられ、上受け皿１５及び下受け皿１７へ払い出す遊技球（補給球）が不足していることを検出する補給球不足スイッチ（補給球不足ＳＷ）３９ａと、同じく払出装置３９に設けられ、下受け皿１７が満杯になっていることを検出するオーバーフロースイッチ（オーバーフローＳＷ）３９ｂと、主基板３７のマイコン３７ａと同様に構成されたマイコン（図示せず）などを搭載し、払出装置３９を制御する払出制御基板４１とが接続されている。
【００３３】
又、主基板３７には、電飾制御基板４３と、ＣＰＵ（図示せず）や、ＲＯＭ（図示せず）、ＲＡＭ（図示せず）、ＰＩＯ（図示せず）、画像制御ＩＣ（図示せず）、音声制御ＩＣ（図示せず）などを搭載し、ディスプレイ１９に特別図柄や遊技に関わる各種画像を表示したり、普通図柄表示装置２７に普通図柄を表示したり、当該パチンコ機１に設置されたスピーカ６３を介して声や効果音、音楽などの音声を出力する演出制御基板６１とが接続されている。尚、電飾制御基板４３には、中継基板４５を介して、内枠ランプ７の光源であるランプを搭載した内枠ランプ基板４７が接続され、又、中継基板４９を介して、遊技盤ランプ３１の光源であるＬＥＤを搭載した遊技盤ランプ基板５１が接続されている。又、電飾制御基板４３には、中継基板５３を介して、特別図柄保留ランプ２１の光源であるＬＥＤを搭載した特図保留ランプ基板５５が接続され、又、中継基板５７を介して、普通図柄保留ランプ２９の光源であるＬＥＤを搭載した普図保留ランプ基板５９が接続されている。但し、これらランプ基板のうち、特図保留ランプ基板５５及び普図保留ランプ基板５９のみが本発明に係り、それ以外のランプ基板（内枠ランプ基板４７及び遊技盤ランプ基板５１）は周知のものと同様に構成されている。
【００３４】
更に、主基板３７には、パチンコ機１の外部から供給される交流電力（本実施形態ではＡＣ２４Ｖ）を複数種類の直流電力（本実施形態では、ＤＣ＋５Ｖ、ＤＣ＋１２Ｖ、ＤＣ＋２４Ｖ、ＤＣ＋３２Ｖ）に変換し、図示しない経路を介して、上述の各種基板や各種装置などへ供給する電源基板６５が接続されている。尚、電源基板６５には、パチンコ機１の電源がＯＦＦされたのちもマイコン３７ａのＲＡＭ３７５と、払出制御基板４１のマイコンのＲＡＭとが記憶内容を保持し続けられるように、これらＲＡＭに直流電力を２０時間以上供給できる電気二重層コンデンサ（図示せず）が搭載されている。又、その一方で、必要に応じてこれらＲＡＭの記憶内容を初期化できるように、押しボタンからなるクリアスイッチ（クリアＳＷ）６５ａも搭載されている。
【００３５】
以上のように構成されたパチンコ機１の制御系統では、主基板３７のマイコン３７ａに内蔵されたＣＰＵ３７１が、ＲＯＭ３７３に記憶されたプログラムに従って、周知の各種処理を実行し、ＰＩＯ３７７及び入出力Ｉ／Ｆ３７ｂを介して上述の各種基板や各種装置に各種コマンドを出力する一方、これら各種基板や各種装置が、ＣＰＵ３７１からの各種コマンドに従って、周知の各種処理や各種動作を行い、パチンコ機１の各部を制御する。
【００３６】
以下、本発明に係るＬＥＤ点灯回路を形成する電飾制御基板４３、中継基板５３，５７、特図保留ランプ基板５５、普図保留ランプ基板５９について説明する。但し、中継基板５３，５７は、ほぼ同様に構成されているため、ここでは、中継基板５３のみを説明し、中継基板５７については説明を省略する。又、特図保留ランプ基板５５、普図保留ランプ基板５９もほぼ同様に構成されているため、ここでは、特図保留ランプ基板５５のみを説明し、普図保留ランプ基板５９については説明を省略する。
【００３７】
まず、図３は、電飾制御基板４３の回路構成の一部を示す回路図である。
図３に示すように、電飾制御基板４３は、複数（本実施形態では、８個）のＮＰＮ型バイポーラトランジスタ（以下、単に「トランジスタ」ともいう。）をそれぞれ内蔵したＩＣであるトランジスタアレイＩＣ７１，７３と、複数（本実施形態では１８個）の接続端子を具備したコネクタ７５とを備える。
【００３８】
ここで、トランジスタアレイＩＣ７１，７３では、内蔵された各トランジスタのベースが当該トランジスタアレイＩＣ７１，７３に設けられたベース端子（本実施形態では１〜８番端子）にそれぞれ内部接続されている。そして、これらベース端子が当該電飾制御基板４３に搭載された出力ポート（図示せず）に接続され、当該電飾制御基板４３に搭載されたＣＰＵ（図示せず）がこの出力ポートを介して出力する駆動信号によって、各トランジスタがＯＮ／ＯＦＦするように設定されている。
【００３９】
又、トランジスタアレイＩＣ７１では、内蔵された各トランジスタのコレクタがそれぞれ当該トランジスタアレイＩＣ７１上に設けられた電源端子Ｖｃｃ（本実施形態では９番端子）に内部接続されている一方、エミッタが当該トランジスタアレイＩＣ７１に設けられたエミッタ端子（本実施形態では１１〜１８番端子）にそれぞれ内部接続されている。そして、電源端子Ｖｃｃが、当該電飾制御基板４３に設けられた電源ライン（本実施形態では、ＤＣ＋１２Ｖ）に接続されている一方、エミッタ端子が、コネクタ７５の１〜８番端子にそれぞれ接続されている。尚、トランジスタアレイＩＣ７１には、トランジスタのエミッタに誘導性負荷の逆起電力が印加された場合に対する保護回路として、エミッタと、グランドラインに接続されたグランド（ＧＮＤ）端子（本実施形態では１０番端子）との間にクランプダイオードが内部接続されている。又、エミッタ端子とコネクタ７５の１〜８番端子とを接続するために当該電飾制御基板４３上に設けられたプリント配線は互いに平行に形成されている。
【００４０】
一方、トランジスタアレイＩＣ７３では、内蔵された各トランジスタのエミッタがそれぞれ当該トランジスタアレイ７３に設けられたＧＮＤ端子（本実施形態では１０番端子）に内部接続されている一方、コレクタが当該トランジスタアレイＩＣ７３に設けられたコレクタ端子（本実施形態では１１〜１８番端子）にそれぞれ内部接続されている。そして、ＧＮＤ端子が、グランドラインに接続されている一方、コレクタ端子が、コネクタ７５の９〜１６番端子にそれぞれ接続されている。尚、トランジスタアレイＩＣ７３には、トランジスタのコレクタに誘導性負荷の逆起電力が印加された場合に対する保護回路として、コレクタと、電源ラインに接続されたコモン（ＣＯＭＭＯＮ）端子（本実施形態では９番端子）との間にクランプダイオードが内部接続されている。又、コレクタ端子とコネクタ７５の９〜１６番端子とを接続するために当該電飾制御基板４３上に設けられたプリント配線は互いに平行に形成されている。
【００４１】
又、コネクタ７５では、トランジスタアレイ７１，７２に接続されていない１７，１８番端子がそれぞれ、グランドラインに接続されている。
尚、このような電飾制御基板４３の構成は、従来のものと同様である。
【００４２】
次に、図４は、中継基板５３の回路構成を示す回路図である。
図４に示すように、中継基板５３は、コネクタ７５と同数の接続端子を具備したコネクタ７７と、コネクタ７７よりも少ない数（本実施形態では５個）の接続端子を具備したコネクタ７９とを備える。
【００４３】
ここで、コネクタ７７では、コネクタ７５の１〜８番端子に接続される１〜８番端子のうち、１，２番端子がコネクタ７９の１，２番端子にそれぞれ接続されている一方、残りの３〜８番端子がそれぞれ開放されている。尚、コネクタ７７の１，２番端子とコネクタ７９の１，２番端子とを接続するために当該中継基板５３上に設けられたプリント配線は互いに平行に形成されている。
【００４４】
又、コネクタ７７では、コネクタ７５の９〜１６番端子に接続される９〜１６番端子のうち、９，１０番端子がコネクタ７９の３，４番端子にそれぞれ接続されている一方、残りの１１〜１６番端子がそれぞれ開放されている。尚、コネクタ７７の９，１０番端子とコネクタ７９の３，４番端子とを接続するために当該中継基板５３上に設けられたプリント配線は互いに平行に形成されている。
【００４５】
又、コネクタ７７では、コネクタ７５の１７，１８番端子に接続される１７，１８番端子が当該中継基板５３上に設けられたグランドラインにそれぞれ接続されている。
又、コネクタ７９では、コネクタ７７に接続されていない５番端子が、当該中継基板５３のグランドラインに接続されている。
【００４６】
次に、図５は、特図保留ランプ基板５５の回路構成を示す回路図である。
図５に示すように、特図保留ランプ基板５５は、コネクタ７９と同数の接続端子を具備したコネクタ８１と、ＬＥＤ９１，９２，９３，９４と、ダイオードＤ１，Ｄ２，Ｄ３，Ｄ４と、抵抗器Ｒ１，Ｒ２，Ｒ３，Ｒ４，Ｒ５，Ｒ６とを備える。
【００４７】
ここで、コネクタ８１では、コネクタ７９の１，２番端子に接続される１，２番端子がそれぞれ、抵抗器Ｒ５，Ｒ６を介して、当該特図保留ランプ基板５５上に設けられたグランドラインに接続されている。
【００４８】
又、コネクタ８１では、コネクタ７９の３番端子に接続される３番端子が、互いに直列接続された抵抗器Ｒ１と、ダイオードＤ１と、ＬＥＤ９１とを介して、１番端子と抵抗器Ｒ６との間に接続されていると共に、互いに直列接続された抵抗器Ｒ２と、ダイオードＤ２と、ＬＥＤ９２とを介して、２番端子と抵抗器Ｒ５との間にも接続されている。より具体的には、ＬＥＤ９１は、アノードが１番端子と抵抗器Ｒ６との間に接続され、カソードがダイオードＤ１のアノードに接続されている。そして、ダイオードＤ１のカソードは、抵抗器Ｒ１を介して３番端子に接続されている。又、ＬＥＤ９２は、アノードが２番端子と抵抗器Ｒ５との間に接続され、カソードがダイオードＤ２のアノードに接続されている。そして、ダイオードＤ２のカソードは、抵抗器Ｒ２を介して３番端子と抵抗器Ｒ１との間に接続されている。
【００４９】
又、コネクタ８１では、コネクタ７９の４番端子に接続される４番端子が、互いに直列接続された抵抗器Ｒ３と、ダイオードＤ３と、ＬＥＤ９３とを介して、１番端子と抵抗器Ｒ６との間に接続されていると共に、互いに直列接続された抵抗器Ｒ４と、ダイオードＤ４と、ＬＥＤ９４とを介して、２番端子と抵抗器Ｒ５との間にも接続されている。より具体的には、ＬＥＤ９３は、アノードが１番端子と抵抗器Ｒ６との間に接続され、カソードがダイオードＤ３のアノードに接続されている。そして、ダイオードＤ３のカソードは、抵抗器Ｒ３を介して４番端子に接続されている。又、ＬＥＤ９４は、アノードが２番端子と抵抗器Ｒ５との間に接続され、カソードがダイオードＤ４のアノードに接続されている。そして、ダイオードＤ４のカソードは、抵抗器Ｒ４を介して４番端子と抵抗器Ｒ３との間に接続されている。
【００５０】
又、コネクタ８１では、コネクタ７９の５番端子に接続される５番端子が、当該特図保留ランプ基板５５のグランドラインに接続されている。
そして、電飾制御基板４３のコネクタ７５と、中継基板５３のコネクタ７７とをケーブルハーネス（図示せず）で接続し、又、中継基板５３のコネクタ７９と特図保留ランプ基板５５のコネクタ８１とをケーブルハーネス（図示せず）で接続することにより、本発明に係るＬＥＤ点灯回路が形成される。
【００５１】
ここで、図６は、本発明に係るＬＥＤ点灯回路１０の回路図である。
図６に示すように、ＬＥＤ点灯回路１０では、トランジスタアレイＩＣ７１に内蔵されたトランジスタＴｒ１，２のコレクタがそれぞれ、電源ラインに接続されている一方、エミッタがそれぞれ、抵抗器Ｒ５，Ｒ６を介してグランドに接続されている。
【００５２】
又、ＬＥＤ点灯回路１０では、トランジスタアレイＩＣ７３に内蔵されたトランジスタＴｒ３のエミッタが、グランドに接続されている一方、コレクタが、互いに直列接続された抵抗器Ｒ１と、ダイオードＤ１と、ＬＥＤ９１とを介して、トランジスタＴｒ１のエミッタと抵抗器Ｒ５との間に接続されていると共に、互いに直列接続された抵抗器Ｒ２と、ダイオードＤ２と、ＬＥＤ９２とを介して、トランジスタＴｒ２のエミッタと抵抗器Ｒ６との間にも接続されている（尚、ダイオードＤ１，Ｄ２、ＬＥＤ９１，９２の接続方向については上述のとおり。）。
【００５３】
又、ＬＥＤ点灯回路１０では、トランジスタアレイＩＣ７３に内蔵されたトランジスタＴｒ４のエミッタが、グランドに接続されている一方、コレクタが、互いに直列接続された抵抗器Ｒ３と、ダイオードＤ３と、ＬＥＤ９３とを介して、トランジスタＴｒ１のエミッタと抵抗器Ｒ５との間に接続されていると共に、互いに直列接続された抵抗器Ｒ４と、ダイオードＤ４と、ＬＥＤ９４とを介して、トランジスタＴｒ２のエミッタと抵抗器Ｒ６との間にも接続されている（尚、ダイオードＤ３，Ｄ４、ＬＥＤ９３，９４の接続方向については上述のとおり。）。
【００５４】
このように構成されたＬＥＤ点灯回路１０では、電飾制御基板４３のＣＰＵが、トランジスタＴｒ１〜Ｔｒ４をＯＮ／ＯＦＦ制御して、保留球の数に応じて点灯すべきＬＥＤを１つずつ短い周期（例えば、２ｍｓ）で繰り返し点灯させ、遊技者に保留球の数を報知する。
【００５５】
以上、ＬＥＤ点灯回路１０を備えた本実施形態のパチンコ機１では、電源ラインと、ＬＥＤ９１〜９４のアノードとの接続をＯＦＦした際に、トランジスタＴｒ１，Ｔｒ２のエミッタからＬＥＤ９１〜９４のアノードに至る配線にそれぞれ滞留した電荷を抵抗器Ｒ５，Ｒ６を介してグランドラインに放出し、これら配線の電位を確実にグランドラインと同電位にすることができる。
【００５６】
つまり、滞留した電荷がＬＥＤ９１〜９４に流れ込むことを確実に防止でき、ひいては、ＬＥＤ９１〜９４に高い輝度のＬＥＤを用いても、点灯すべきＬＥＤを点灯させた際に、消灯しているべきＬＥＤまでもが点灯してしまうことを確実に防止できる。
【００５７】
又、本実施形態のパチンコ機１では、ダイオードＤ１〜Ｄ４を上述のように接続しているため、ＬＥＤ９１，９２のうちの一方や、ＬＥＤ９３，９４のうちの一方をＯＮした際に、ＯＦＦしているＬＥＤに逆方向電圧が印加されてしまうことを簡素に防止でき、ひいては、逆方向電圧によってＬＥＤ９１〜９４が壊れてしまうことを防止できる。
【００５８】
又、本実施形態のパチンコ機１では、トランジスタＴｒ１〜Ｔｒ４を電飾制御基板４３上に配設し、ダイオードＤ１〜Ｄ４、ＬＥＤ９１〜９４、抵抗器Ｒ５，Ｒ６を特図保留ランプ基板５５及び普図保留ランプ基板５９上に配設したため、従来の電飾制御基板４３をそのまま流用できる。このため、パチンコ機１の開発作業の手間を省くことができる上、従来の電飾制御基板を無駄にしてしまうことを防止できる。
【００５９】
尚、本実施形態では、電源ラインが本発明における電源の陽極に相当し、ＬＥＤ９１，９３が本発明における第１のＬＥＤに相当し、トランジスタＴｒ１が本発明における第１のスイッチング素子に相当する。
【００６０】
又、本実施形態では、ＬＥＤ９２，９４が本発明における第２のＬＥＤに相当し、トランジスタＴｒ２が本発明における第２のスイッチング素子に相当し、グランドラインが本発明における電源の陰極に相当する。
【００６１】
又、本実施形態では、トランジスタＴｒ１のエミッタからＬＥＤ９１，９３のアノードに至る配線が本発明における第１の配線に相当し、トランジスタＴｒ２のエミッタからＬＥＤ９２，９４のアノードに至る配線が本発明における第２の配線に相当する。
【００６２】
又、本実施形態では、抵抗器Ｒ５，Ｒ６及びダイオードＤ１〜Ｄ４が本発明における電荷放出手段に相当する。このうち、抵抗器Ｒ５，Ｒ６が本発明における抵抗器に相当し、ダイオードＤ１〜Ｄ４が本発明における逆方向電圧防止手段する。又、ダイオードＤ１，Ｄ３が第１のダイオードに相当し、ダイオードＤ２，Ｄ４が第２のダイオードに相当する。）。
【００６３】
又、本実施形態では、電飾制御基板４３が本発明における制御基板に相当し、特図保留ランプ基板５５及び普図保留ランプ基板５９が本発明におけるＬＥＤ基板に相当する。
【実施例】
【００６４】
ここで、上述したＬＥＤ点灯回路１０の効果を実証するため、本願発明者が実証実験を行った。尚、この実証実験では、上述のＬＥＤ点灯回路１０を実施例１、従来のＬＥＤ点灯回路１００（図１０参照）を比較例１とした。
【００６５】
但し、この実証実験では、中継基板５３に、図７に回路図を示す特図保留ランプ基板５５ａを接続することにより、比較例１を形成した。
即ち、図７に示すように、特図保留ランプ基板５５ａは、中継基板５３のコネクタ７９と同数の接続端子を具備したコネクタ８１ａと、ＬＥＤ１０１，１０２，１０３，１０４と、抵抗器Ｒ１１，Ｒ１２，Ｒ１３，Ｒ１４とを備える。
【００６６】
ここで、コネクタ８１ａでは、コネクタ７９の１番端子に接続される１番端子がＬＥＤ１０１，１０３のアノードに接続され、コネクタ７９の３番端子に接続される３番端子が抵抗器Ｒ１１，Ｒ１２を介してＬＥＤ１０１，１０２のカソードに接続されている。
【００６７】
又、コネクタ８１ａでは、コネクタ７９の２番端子に接続される２番端子がＬＥＤ１０２，１０４のアノードに接続され、コネクタ７９の４番端子に接続される４番端子が抵抗器Ｒ１３，Ｒ１４を介してＬＥＤ１０３，１０４のカソードに接続されている。
【００６８】
又、コネクタ８１ａでは、コネクタ７９の５番端子に接続される５番端子が当該特図保留ランプ基板５５ａ上に設けられたグランドラインに接続されている。
又、この実証実験では、トランジスタアレイＩＣ７１には、（株）東芝製のＴＤ６２７８３ＡＦを用い、トランジスタアレイＩＣ７３には、同じく（株）東芝製のＴＤ６２０８３ＡＦを用いた。又、ＬＥＤ９１〜９４及びＬＥＤ１０１〜１０４には、Ｌｉｔｅ−Ｏｎ  Ｅｌｅｃｔｒｏｎｉｃｓ，Ｉｎｃ．製のＬＴＳＴ−Ｃ１９０ＫＳＫＴを用い、ダイオードＤ１〜Ｄ４には、松下電器産業（株）製ＭＡ２Ｃ７００Ａ０Ｆを用いた。又、Ｒ１〜Ｒ４及びＲ１１〜Ｒ１４には、３３０Ωの抵抗器を用い、Ｒ５，６には、１０ｋΩの抵抗器を用いた。
【００６９】
そして、この実証実験では、実施例１のＬＥＤ９１，９２と、比較例１のＬＥＤ１０１，１０２とをそれぞれ交互に点灯させて、その際におけるトランジスタＴｒ１のエミッタ側の配線ＣＯＭ１上の電圧と、トランジスタ２のエミッタ側の配線ＣＯＭ２上の電圧をオシロスコープで観測した。
【００７０】
ここで、図８は、比較例１の実験結果を示す電圧波形図であり、図９は、実施例１の実験結果を示す電圧波形図である。
図８に示すように、比較例１では、ＣＯＭ１及びＣＯＭ２共に、電圧の立ち下がりに約１ｍｓ遅れが生じたのに対し、実施例１では、ＣＯＭ１及びＣＯＭ２共に、電圧が直ちに立ち下がった。その結果、比較例１では、点灯すべきＬＥＤを点灯させた際に、消灯しているべきＬＥＤまで点灯してしまうことがあったのに対し、実施例１では、消灯しているべきＬＥＤまで点灯してしまうことがなかった。
【００７１】
つまり、この実証実験により、本発明の効果が実証された。
以上、本発明の実施の形態について説明したが、本発明は、上記実施形態に何ら限定されることはなく、本発明の技術的範囲に属する限り種々の形態をとり得ることはいうまでもない。
【００７２】
例えば、上記実施形態では、抵抗器Ｒ５，Ｒ６やダイオードＤ１〜Ｄ４を特図保留ランプ基板５５や普図保留ランプ基板５９上に配設したが、電飾制御基板４３上に配設しても良い。
【００７３】
又、抵抗器Ｒ５，Ｒ６及びダイオードＤ１〜Ｄ４を中継基板５３，５７上に配設しても良い（請求項４記載の発明に相当。）。つまり、このように中継基板５３，５７を構成するだけで、従来の電飾制御基板、特図保留ランプ基板、普図保留ランプ基板をそのまま流用できるため、パチンコ機１の開発作業の手間をその分省くことができる上、従来の電飾制御基板、特図保留ランプ基板、普図保留ランプ基板を無駄にしてしまうことを防止できる。
【００７４】
又、抵抗器Ｒ５，Ｒ６を中継基板５３，５７に設け、ダイオードＤ１〜Ｄ４を特図保留ランプ基板５５、普図保留ランプ基板５９に設けても良い。
又、上記実施形態では、抵抗器Ｒ５，Ｒ６を用いて、滞留する電荷をグランドラインに放出したが、ＬＥＤ点灯回路１０によるＬＥＤ９１〜９４の点灯を困難にするものでなければ、その他の手段によって滞留する電荷をグランドラインに放出しても良い。
【００７５】
又、上記実施形態では、ダイオードＤ１〜Ｄ４を用いて、ＬＥＤ９１〜９４に逆方向電圧が印加されることを防止したが、ＬＥＤ点灯回路１０によるＬＥＤ９１〜９４の点灯を困難にするものでなければ、その他の手段によって逆方向電圧が印加されることを防止しても良い。
【００７６】
又、上記実施形態では、トランジスタＴｒ１〜Ｔｒ４にＮＰＮ型バイポーラトランジスタを用いたが、これら全てのトランジスタにＰＮＰ型バイポーラトランジスタを用いても良い。又、トランジスタＴｒ１，Ｔｒ２にＰＮＰ型を用い、トランジスタＴｒ３，Ｔｒ４にＮＰＮ型を用いても良いし、トランジスタＴｒ１，Ｔｒ２にＮＰＮ型を用い、トランジスタＴｒ３，Ｔｒ４にＰＮＰ型を用いても良い。又、バイポーラトランジスタに代えて、電界効果トランジスタ（ＪＦＥＴやＭＯＳＦＥＴ）や絶縁ゲート型バイポーラトランジスタ（ＩＧＢＴ）などの他の形態のトランジスタを用いても良いし、トランジスタ以外の他のスイッチング素子を用いても勿論良い。
【００７７】
又、上記実施形態では、本発明を特別図柄保留ランプ２１や普通図柄保留ランプ２９の光源であるＬＥＤを点灯するＬＥＤ点灯回路に適用したが、遊技盤９上に配設される他のＬＥＤを点灯するＬＥＤ点灯回路に適用しても勿論良い。
【００７８】
又、上記実施形態では、本発明をパチンコ遊技機に適用したが、アレンジボール遊技機や、アレパチ（登録商標）、スロット遊技機、遊技球を用いてスロット遊技を行うパロット遊技機などといった他の形態の遊技機に適用しても勿論良い。
【図面の簡単な説明】
【００７９】
【図１】本発明に係るパチンコ遊技機１の正面図である。
【図２】パチンコ機１における制御系統の一部の構成を示す構成ブロック図である。
【図３】電飾制御基板４３の回路構成の一部を示す回路図である。
【図４】中継基板５３の回路構成を示す回路図である。
【図５】特図保留ランプ基板５５の回路構成を示す回路図である。
【図６】本発明に係るＬＥＤ点灯回路１０の回路図である。
【図７】特図保留ランプ基板５５ａの回路構成を示す回路図である。
【図８】比較例１の実験結果を示す電圧波形図である。
【図９】実施例１の実験結果を示す電圧波形図である。
【図１０】従来のパチンコ遊技機に具備された一般的なＬＥＤ点灯回路１００の回路図である。
【符号の説明】
【００８０】
１…パチンコ機、３…外枠、５…内枠、７…内枠ランプ、９…遊技盤、１０，１００…ＬＥＤ点灯回路、１１…金枠、１３…ハンドル、１５…上受け皿、１７…下受け皿、１９…ディスプレイ、２１…特別図柄保留ランプ、２３…始動入賞装置、２３ａ…可動片、２３ｂ…スタートＳＷ、２３ｃ，２５ｄ…ソレノイド、２５…大入賞装置、２５ａ…開閉板、２５ｂ…特定領域ＳＷ、２５ｃ…カウントＳＷ、２７…普通図柄表示装置、２９…普通図柄保留ランプ、３１…遊技盤ランプ、３３…始動ゲート、３３ａ…ゲートＳＷ、３７…主基板、３７ａ…マイコン、３７ｂ…入出力Ｉ／Ｆ、３９…払出装置、３９ａ…補給球不足ＳＷ、３９ｂ…オーバーフローＳＷ、４１…払出制御基板、４３…電飾制御基板、４５，４９，５３，５７…中継基板、４７…内枠ランプ基板、５１…遊技盤ランプ基板、５５，５５ａ…特図保留ランプ基板、５９…普図保留ランプ基板、６１…演出制御基板、６３…スピーカ、６５…電源基板、６５ａ…クリアＳＷ、７１，７３…トランジスタアレイＩＣ、７５，７７，７９，８１，８１ａ…コネクタ、９１，９２，９３，９４，１０１，１０２，１０３，１０４…ＬＥＤ、３７１…ＣＰＵ、３７３…ＲＯＭ、３７５…ＲＡＭ、３７７…ＰＩＯ、３７９…ＣＴＣ、Ｄ１，Ｄ２，Ｄ３，Ｄ４…ダイオード、Ｒ１，Ｒ２，Ｒ３，Ｒ４，Ｒ５，Ｒ６，Ｒ１１，Ｒ１２，Ｒ１３，Ｒ１４…抵抗器、Ｃ１…バイパスコンデンサ、Ｔｒ１，Ｔｒ２，Ｔｒ３，Ｔｒ４…トランジスタ。
【図１】
2006122419.tif 000003
【図２】
2006122419.tif 000004
【図３】
2006122419.tif 000005
【図４】
2006122419.tif 000006
【図５】
2006122419.tif 000007
【図６】
2006122419.tif 000008
【図７】
2006122419.tif 000009
【図８】
2006122419.tif 000010
【図９】
2006122419.tif 000011
【図１０】
2006122419.tif 000012